(57)【要約】【課題】安定した書込み動作を保証しながら、黒輝度の上昇を抑え、かつ、書込み期間を短縮したプラズマディスプレイパネルの駆動方法を提供することを目的とする。【解決手段】１フィールド期間は、初期化期間、書込み期間および維持期間を有する複数のサブフィールドから構成され、サブフィールドのそれぞれの初期化期間は、全セル初期化動作、または選択初期化動作のいずれかの動作を行い、１フィールドを構成する先頭のサブフィールドの書込み放電を発生させるための時間を長く、選択初期化動作を行うサブフィールドの書込み放電を発生させるための時間を、直前のサブフィールドの書込み放電を発生させるための時間より短く、または等しく設定したことを特徴とする。【選択図】図６
2005301013.tif 000002
【特許請求の範囲】
【請求項１】
走査電極および維持電極とデータ電極との交差部に放電セルを形成してなるプラズマディスプレイパネルの駆動方法であって、
１フィールド期間は、前記放電セルに初期化放電を発生させる初期化期間、前記放電セルに書込み放電を発生させる書込み期間および前記放電セルに所定の輝度重みで発光させるための維持放電を発生させる維持期間を有する複数のサブフィールドから構成され、
前記複数のサブフィールドのそれぞれの初期化期間は、画像表示を行うすべての放電セルに対して初期化放電を発生させる全セル初期化動作、または直前のサブフィールドにおいて維持放電を発生した放電セルに対して選択的に初期化放電を発生させる選択初期化動作のいずれかの動作を行い、
前記選択初期化動作を行うサブフィールドの書込み放電を発生させるための時間は、直前のサブフィールドの書込み放電を発生させるための時間より短く、または等しく設定したことを特徴とするプラズマディスプレイパネルの駆動方法。
【請求項２】
前記複数のサブフィールドのそれぞれの維持期間において発光または非発光させる制御を行うことにより多階調表示を行うように構成し、
選択初期化を行いかつ発光させるサブフィールドの直前に、選択初期化を行いかつ非発光させるサブフィールドが２つ以上連続しない階調となるように構成したことを特徴とする請求項１に記載のプラズマディスプレイパネルの駆動方法。
【請求項３】
１フィールドを構成する先頭のサブフィールドは、維持期間の輝度重みが最も小さいサブフィールドであり、続くサブフィールドは、それぞれの維持期間の輝度重みが直前のサブフィールドの輝度重みより大きいかまたは等しいサブフィールドであることを特徴とする請求項１または請求項２に記載のプラズマディスプレイパネルの駆動方法。
【発明の詳細な説明】
【技術分野】
【０００１】
本発明はプラズマディスプレイパネルの駆動方法およびプラズマディスプレイパネルを用いた画像表示装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表現に関係しない発光を極力減らして黒輝度の上昇を抑え、コントラスト比を向上した新規な駆動方法が特許文献１に開示されている。
【０００４】
以下にサブフィールド法について簡単に説明する。各サブフィールドはそれぞれ初期化期間、書込み期間および維持期間を有する。また、初期化期間は、画像表示を行うすべての放電セルに対して初期化放電を行わせる全セル初期化動作、または直前のサブフィールドにおいて維持放電を行った放電セルに対して選択的に初期化放電を行わせる選択初期化動作のいずれかの動作を行う。
【０００５】
まず、全セル初期化期間では、すべての放電セルで一斉に初期化放電を行い、それ以前の個々の放電セルに対する壁電荷の履歴を消すとともに、続く書込み動作のために必要な壁電荷を形成する。加えて、放電遅れを小さくし書込み放電を安定して発生させるためのプライミング（放電のための起爆剤＝励起粒子）を発生させるというはたらきをもつ。続く書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。そして維持期間では、走査電極と維持電極との間に輝度重みに応じた所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていること等、書込み放電に関しては放電遅れを大きくする要因が多い。したがって、書込み放電を安定して発生させるためのプライミングが非常に重要となる。
【特許文献１】特開２０００−２４２２２４号公報
【発明の開示】
【発明が解決しようとする課題】
【０００７】
しかしながら、放電によって生じるプライミングは時間の経過とともに急速に減少するので、初期化放電から長い時間が経過した書込み放電に対しては初期化放電で生じたプライミングが不足して放電遅れが大きくなる。そこで、書込み動作を安定して行うために書込み時間を長く設定し、その結果、書込み期間に費やす時間が大きくなりすぎるといった問題があった。
【０００８】
また、近年のパネルの高精細度化に伴って放電セル数が増加し、書込み期間に要する時間が長くなる傾向がある。さらに、動画擬似輪郭の改善等、画像表示品質を向上させるためにサブフィールド数を増加させる駆動方法が検討されており、今後ますます書込み期間の短縮が要求されてきている。
【０００９】
本発明のパネルの駆動方法は、上記の課題に鑑みなされたものであり、安定した書込み動作を保証しながら、黒輝度の上昇を抑え、かつ、書込み期間を短縮したパネルの駆動方法を提供することを目的とする。
【課題を解決するための手段】
【００１０】
本発明のパネルの駆動方法は、走査電極および維持電極とデータ電極との交差部に放電セルを形成してなるパネルの駆動方法であって、１フィールド期間は放電セルに初期化放電を発生させる初期化期間、放電セルに書込み放電を発生させる書込み期間および放電セルに所定の輝度重みで発光させるための維持放電を発生させる維持期間を有する複数のサブフィールドから構成され、複数のサブフィールドのそれぞれの初期化期間は画像表示を行うすべての放電セルに対して初期化放電を発生させる全セル初期化動作または直前のサブフィールドにおいて維持放電を発生した放電セルに対して選択的に初期化放電を発生させる選択初期化動作のいずれかの動作を行い、選択初期化動作を行うサブフィールドの書込み放電を発生させるための時間は直前のサブフィールドの書込み放電を発生させるための時間より短くまたは等しく設定したことを特徴とする。この駆動方法により、安定した書込み動作を保証しながら、黒輝度の上昇を抑えかつ書込み期間を短縮したプラズマディスプレイパネルの駆動方法を提供することが可能となる。
【００１１】
また、本発明のパネルの駆動方法は、複数のサブフィールドのそれぞれの維持期間において発光または非発光させる制御を行うことにより多階調表示を行うように構成し、選択初期化を行いかつ発光させるサブフィールドの直前に、選択初期化を行いかつ非発光させるサブフィールドが２つ以上連続しない階調となるように構成することが望ましい。この駆動方法により、さらに書込み動作を安定させることができる。
【００１２】
また、本発明のパネルの駆動方法は、１フィールドを構成する先頭のサブフィールドが維持期間の輝度重みが最も小さいサブフィールドであり、続くサブフィールドは、それぞれの維持期間の輝度重みが直前のサブフィールドの輝度重みより大きいかまたは等しいサブフィールドであることが望ましい。この駆動方法によって、１フィールドを構成する各サブフィールドの時間の差を小さく設定することができる。
【発明の効果】
【００１３】
本発明によれば、安定した書込み動作を保証しながら、黒輝度の上昇を抑え、かつ、書込み期間を短縮したプラズマディスプレイパネルの駆動方法を提供することが可能となる。
【発明を実施するための最良の形態】
【００１４】
以下、本発明の一実施の形態におけるパネルの駆動方法について、図面を用いて説明する。
【００１５】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００１６】
図２は本発明の実施の形態１に用いるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１７】
図３は本発明の実施の形態１におけるパネルの駆動方法を用いたプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００１８】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に与えられる。ＡＤ変換器１８は、画像信号ｓｉｇをデジタル信号の画像データに変換し、その画像データを走査数変換部１９に与える。走査数変換部１９は、画像データをパネル１の画素数に応じた画像データに変換し、サブフィールド変換部２０に与える。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００１９】
タイミング発生回路１５は、水平同期信号Ｈおよび垂直同期信号Ｖをもとにしてタイミング信号を発生し、各々走査電極駆動回路１３および維持電極駆動回路１４に与える。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。
【００２０】
次に、パネルの駆動方法について説明する。実施の形態１においては、１フィールドを１０のサブフィールド（ＳＦ１、ＳＦ２、・・・、ＳＦ１０）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。すなわち、１フィールドを構成する先頭のサブフィールドは、維持期間の輝度重みが最も小さいサブフィールドであり、続くサブフィールドは、それぞれの維持期間の輝度重みが直前のサブフィールドの輝度重みより大きいサブフィールドである。このとき、直前のサブフィールドの輝度重みと等しく設定してもよい。
【００２１】
図４は表示階調と、その階調を表現するために発光させるサブフィールドの組み合わせを示した図である。ここで「１」で示したサブフィールドは発光させるサブフィールド、「０」で示したサブフィールドは発光させないサブフィールドである。図４（ａ）は階調値が「０」〜「６４」まで、図４（ｂ）は階調値が「６５」〜「１２８」まで、図４（ｃ）は階調値が「１２９」〜「１９３」まで、図４（ｄ）は階調値が「１９４」〜「２５５」の範囲を示す。
【００２２】
図４において特徴的な点は、第１ＳＦを除いて、発光サブフィールドの前にある非発光サブフィールド（以下、「中間非発光サブフィールド」と略記する）が２つ以上連続しないように表示階調を選択している点である。第１ＳＦを例外としたのは、後述するように第１ＳＦの初期化を全セル初期化としたためである。言い換えれば、画像表示に用いる階調は、選択初期化を行いかつ発光させるサブフィールドの直前に、選択初期化を行いかつ非発光させるサブフィールドが２つ以上連続しない階調に限定している。
【００２３】
次に、パネルを駆動するための駆動波形とその動作について説明する。図５は本発明の実施の形態１におけるパネルの各電極に印加する駆動波形図であり、図６は１フィールドを構成するサブフィールドの構成図である。ここで、第１ＳＦの初期化動作は全セル初期化動作であり、第２ＳＦ以降の初期化動作は選択初期化動作である。
【００２４】
第１ＳＦの初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧を超える電圧Ｖｒ（Ｖ）に向かって上昇するランプ電圧を印加する。その後、維持電極ＳＵＳ１〜ＳＵＳｎを正の電圧Ｖｈ（Ｖ）に保ち、走査電極ＳＣＮ１〜ＳＣＮｎに電圧Ｖａ（Ｖ）に向かって下降するランプ電圧を印加する。すると、すべての放電セルにおいて２回の微弱な初期化放電を起こし、続く書込み動作に必要な壁電荷が形成されるとともに、すべての放電セルでプライミングが発生する。
【００２５】
続く書込み期間では、走査電極ＳＣＮ１〜ＳＣＮｎを一旦Ｖｓ（Ｖ）に保持する。次に、データ電極Ｄ１〜Ｄｍのうち、１行目に表示すべき放電セルのデータ電極Ｄｋに正の書込みパルス電圧Ｖｗ（Ｖ）を印加するとともに、１行目の走査電極ＳＣＮ１に走査パルス電圧Ｖｂ（Ｖ）を印加する。すると走査電極ＳＣＮ１とデータ電極Ｄｋ（ｋ＝１〜ｍ）および維持電極ＳＵＳ１との間に書込み放電が起こり、この放電セルに続く維持放電に必要な壁電荷が蓄積される。一方、正の書込みパルス電圧Ｖｗ（Ｖ）を印加しなかった放電セルには壁電荷が蓄積されない。以上の書込み動作をｎ行目の放電セルに至るまで順次行い、書込み期間が終了する。
【００２６】
続く維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セル内では、維持パルス電圧Ｖｍ（Ｖ）に壁電荷による電圧が加算され放電開始電圧を超え維持放電が発生する。そして極性の反転した壁電荷が放電セル内に蓄積する。続いて、走査電極ＳＵＳ１〜ＳＵＳｎを０（Ｖ）に戻し、維持電極ＳＵＳ１〜ＳＵＳｎに正の維持パルス電圧Ｖｍ（Ｖ）を印加すると、放電セル内で維持放電が起こり、壁電荷の極性が反転する。以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。なお、維持放電を起こした放電セル内では、このときの維持放電に伴って多量のプライミングが発生する。
【００２７】
第２ＳＦの初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎに電圧Ｖａ（Ｖ）に向かって下降するランプ電圧を印加する。すると前のサブフィールドの維持期間で維持放電を行った放電セルでは、微弱な初期化放電が発生し、続く書込み動作に必要な壁電荷が形成される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００２８】
第２ＳＦの書込み期間では、第１ＳＦの書込み期間と同様に書込みパルス電圧Ｖｗ（Ｖ）を印加した放電セルで書込み放電が発生する。このとき、第１ＳＦで維持放電を行った放電セル内部には維持放電に伴う十分なプライミングが残存しているために、放電遅れの小さい安定した書込み動作が行われる。一方、第１ＳＦで維持放電を行わなかった放電セル内部にも第１ＳＦの全セル初期化に伴うプライミングが残存しているために、放電遅れの小さい安定した書込み動作が行われる。
【００２９】
第２ＳＦの維持期間では、第１ＳＦの維持期間と同様に書込み放電を起こした放電セル内では維持放電が発生し、多量のプライミングが発生する。第２ＳＦの輝度重みは第１ＳＦの輝度重みより大きいので、このとき発生するプライミングの量も第１ＳＦの維持期間に発生するプライミング量よりも多い。
【００３０】
第３ＳＦの初期化期間の動作は第２ＳＦと同様であるので説明を省略する。第３ＳＦの書込み期間では第２ＳＦの書込み期間と同様に書込みパルス電圧Ｖｗ（Ｖ）を印加した放電セルで書込み放電が発生する。このとき、第１ＳＦあるいは第２ＳＦで維持放電を行った放電セル内部には維持放電に伴う十分なプライミングが残存しているために、放電遅れの小さい安定した書込み動作が行われる。一方、第１ＳＦ、第２ＳＦともに維持放電を行わなかった放電セル内部にも第１ＳＦの全セル初期化に伴うプライミングがまだ残存しているために、放電遅れの小さい安定した書込み動作が行われる。そして第３ＳＦの維持期間には、第２ＳＦの維持期間と同様に書込み放電を起こした放電セル内では維持放電が発生し、多量のプライミングが発生する。第３ＳＦの輝度重みは第２ＳＦの輝度重みより大きいので、このとき発生するプライミングの量も第２ＳＦの維持期間に発生するプライミング量よりも多い。
【００３１】
第４ＳＦの書込み期間においては、図４から明らかなように、書込み放電を発生させるべき放電セルは少なくとも第２ＳＦまたは第３ＳＦにおいて維持放電を行った放電セルに限られる。したがって、これらの放電セル内部には第３ＳＦまでの維持放電に伴う十分なプライミングが残存しているために、放電遅れの小さい安定した書込み動作が行われる。そして第４ＳＦの維持期間では、書込み放電を起こした放電セル内で維持放電が発生し、第３ＳＦの維持期間に発生するプライミング量よりもさらに多いプライミングが発生する。
【００３２】
第５ＳＦ以降の書込み期間においても、図４から明らかなように、書込み放電を発生させるべき放電セルは１つ前のサブフィールドまたは２つ前のサブフィールドにおいて維持放電を行った放電セルに限られる。したがって、これらの放電セル内部にはそれまでのサブフィールドの維持放電に伴う十分なプライミングが残存しているために、放電遅れの小さい安定した書込み動作が行われる。そして続く維持期間では、書込み放電を起こした放電セル内で維持放電が発生し、さらに多いプライミングが発生する。
【００３３】
このように、第３ＳＦ以降のサブフィールドでは後のサブフィールドになるほど輝度重みが大きく、それまでに発生したプライミング量も多くなる。そして、書込み放電を発生させるべき放電セルは、第１ＳＦを除くと、中間非発光サブフィールドが２個以上連続しない。したがって、第３ＳＦ以降のサブフィールドにおいては後のサブフィールドになるほどプライミング量が増え、放電遅れも小さくなるために書込み放電を発生させるための時間（以下、「書込み時間」と略記する）を短縮することが可能となる。実施の形態１においては、書込み放電の安定性を損なうことなく、第１ＳＦから第１０ＳＦまでの１セルあたりの書込み時間を、それぞれ（２．４μｓ、２．４μｓ、２．１μｓ、２．１μｓ、２．１μｓ、１．８μｓ、１．８μｓ、１．８μｓ、１．７μｓ、１．７μｓ）と設定した。これはサブフィールドの書込み期間において垂直画素数２４０画素を書込む場合、１フィールドあたりに必要な書込み期間の合計は４．７８ｍｓとなり、第１ＳＦから第１０ＳＦまでの１セルあたりの書込み時間を一律２．４μｓとした場合に１フィールドあたりに必要な書込み期間の合計５．７６ｍｓと比較して、ほぼ１ｍｓの短縮となる。
【００３４】
ここで、書込み時間を後ろのサブフィールドほど短く設定できる理由について再度説明する。１放電セルあたりの書込みに要する時間は、書込み放電における放電遅れが短いほど短くすることができる。そして、駆動電圧が一定の場合、放電遅れは一般にプライミングの量が多くなると短くなる。
【００３５】
実施の形態１におけるサブフィールド構成において、第１ＳＦの初期化期間には全セル初期化動作を行い、全放電セルにプライミングを供給している。しかし、初期化放電が弱い放電であることに加えて、プライミングの量は時間の経過とともに急速に減少するため、プライミングを第１ＳＦの初期化放電だけに頼った場合には安定した書込み放電を行う効果は１フィールドの最初の３サブフィールドまでしか期待できない。ところが本発明の実施の形態１においては、図４に示したように、第３ＳＦ以降では中間非発光サブフィールドが連続しないような階調を選んで画像表示を行っている。したがって第４ＳＦ以降のサブフィールドが発光する放電セルでは、少なくとも１つ前のサブフィールド、あるいは２つ前のサブフィールドのどちらかのサブフィールドで必ず発光、すなわち維持放電を行っている。そして、維持放電は非常に強い放電であり、プライミングの量も非常に多いため、続くサブフィールドの書込み期間における書込み放電の放電遅れも小さくなり、書込み時間を短縮することが可能となる。すなわち、選択初期化動作を行うサブフィールドの書込み放電を発生させるための時間は、直前のサブフィールドの書込み放電を発生させるための時間より短く設定することが可能となる。
【００３６】
なお、このように画像表示を行う階調を制限すると、表示不可能な階調が発生するが、これら表示不可能な階調については、表示可能な複数の階調を用いて、誤差拡散やディザ処理等の既知の画像表示技術を用いて擬似的に表示することができる。
【００３７】
また、輝度重みが小さい、すなわち維持期間が短いサブフィールドの書込み期間が長く、維持期間が長いサブフィールドの書込み期間が短くなるので、１フィールドを構成する各サブフィールドの時間の差を小さく設定することができる。そのため、誤差拡散やディザ処理等を用いて動画擬似輪郭の改善を行う上でも有利である。
【００３８】
（実施の形態２）
図７は本発明の実施の形態２におけるパネルの駆動方法を用いたプラズマディスプレイ装置の構成図である。
【００３９】
実施の形態２におけるプラズマディスプレイ装置は、実施の形態１と同様、パネル１、データ電極駆動回路１２、走査電極駆動回路１３、維持電極駆動回路１４、タイミング発生回路１５、ＡＤ変換器１８、走査数変換部１９、サブフィールド変換部２０を備えている。実施の形態１と大きく異なるところは、ＡＰＬ（アベレージ・ピクチャ・レベル）検出部３０を備えている点である。
【００４０】
図７において、画像信号ｓｉｇはＡＤ変換器１８に入力され、ＡＰＬ検出部３０は画像データの平均輝度レベルを検出する。タイミング発生回路１５は、水平同期信号Ｈおよび垂直同期信号Ｖをもとにしてタイミング信号を発生し、各々走査電極駆動回路１３および維持電極駆動回路１４に与える。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はＡＰＬ検出部３０から出力されるＡＰＬに基づいて１フィールドを構成する各々のサブフィールドの初期化動作を全セル初期化か選択初期化のいずれかに決定して、１フィールド内の全セル初期化動作の回数を制御する。
【００４１】
次に、実施の形態２の駆動方法のサブフィールド構成について説明する。本実施の形態においても、１フィールドが１０のサブフィールドで構成されているものとして説明するが、サブフィールド数や各サブフィールドの輝度重みが限定されるものではない。
【００４２】
図８は、本発明の実施の形態におけるパネルの駆動方法のサブフィールド構成を示す図であり、表示すべき画像信号のＡＰＬに基づいてサブフィールド構成を切替えている。図８（ａ）は、ＡＰＬが０〜１．５％の画像信号時に使用する構成であり、第１ＳＦの初期化期間のみ全セル初期化動作を行い、第２ＳＦ〜第１０ＳＦの初期化期間は選択初期化動作を行うサブフィールド構成である。図８（ｂ）は、ＡＰＬが１．５〜５％の画像信号時に使用する構成であり、第１ＳＦおよび第４ＳＦの初期化期間が全セル初期化期間、第２ＳＦ、第３ＳＦと第５ＳＦ〜第１０ＳＦの初期化期間は選択初期化期間であるサブフィールド構成となっている。図８（ｃ）は、ＡＰＬが５〜１００％の画像信号時に使用する構成であり、第１ＳＦ、第４ＳＦ、第６ＳＦの初期化期間は全セル初期化期間、第２ＳＦ、第３ＳＦ、第５ＳＦ、第７ＳＦ〜第１０ＳＦの初期化期間は選択初期化期間であるサブフィールド構成となっている。表１に上述のサブフィールド構成とＡＰＬとの関係を示した。表には同時に１セルあたりの書込み時間も示した。
【００４３】
このように、本発明の実施の形態２においては、ＡＰＬの高い画像表示時においては黒表示領域が無いかわずかの面積であると考えられるので、全セル初期化回数を増やしプライミングを増やすことによって放電の安定化を図っている。逆に、ＡＰＬの低い画像表示時においては黒の画像表示領域が広いと考えられるため全セル初期化回数を減らし、黒表示品質を向上している。したがって、輝度の高い領域があってもＡＰＬが低ければ黒表示領域の輝度が低くコントラストの高い画像表示が可能となる。
【００４４】
【表１】
2005301013.tif 000003
【００４５】
そして、第１ＳＦの初期化期間のみ全セル初期化動作を行う場合には、実施の形態１と同様に、第１ＳＦから第１０ＳＦまでの１セルあたりの書込み時間をそれぞれ（２．４μｓ、２．４μｓ、２．１μｓ、２．１μｓ、２．１μｓ、１．８μｓ、１．８μｓ、１．８μｓ、１．７μｓ、１．７μｓ）と設定した。また、第１ＳＦおよび第４ＳＦの初期化期間で全セル初期化動作を行う場合、あるいは第１ＳＦ、第４ＳＦおよび第６ＳＦの初期化期間で全セル初期化動作を行う場合には、第１ＳＦから第１０ＳＦまでの１セルあたりの書込み時間をそれぞれ（１．８μｓ、１．８μｓ、１．８μｓ、１．８μｓ、１．８μｓ、１．８μｓ、１．８μｓ、１．８μｓ、１．７μｓ、１．７μｓ）と設定した。
【００４６】
このように、全セル初期化動作の回数が少なくプライミングが不足する場合には第１ＳＦの書込み時間を比較的長めに設定しておき、後ろのサブフィールドの書込み時間を短く設定する。また、全セル初期化動作を行うサブフィールドが２つ以上存在しプライミングがある程度供給されている場合には第１ＳＦの書込み時間を比較的短めに設定しておき、後ろのサブフィールドの書込み時間をさらに短く設定するとよい。
【００４７】
なお、本実施の形態においては、１フィールドを１０ＳＦで構成し、全セル初期化回数を１〜３回の範囲で制御し、先頭に近いサブフィールドの初期化を優先する例を示したが、本発明はこれに限定されるものではない。
【００４８】
また、本発明の実施の形態においては、画像表示に用いる階調として、中間非発光サブフィールドが２つ以上連続しない階調を用いたが、画像表示に用いる階調の条件をもう少し緩めて、中間非発光サブフィールドが３つ以上連続しない階調を用いることも不可能ではない。
【産業上の利用可能性】
【００４９】
本発明のパネルの駆動方法によれば、安定した書込み動作を保証しながら、黒輝度の上昇を抑え、かつ、書込み期間を短縮することが可能となり、パネルを用いた画像表示装置等として有用である。
【図面の簡単な説明】
【００５０】
【図１】本発明の実施の形態１に用いるパネルの要部を示す斜視図
【図２】同パネルの電極配列図
【図３】本発明の実施の形態１におけるパネルの駆動方法を用いたプラズマディスプレイ装置の構成図
【図４（ａ）】表示階調と、その階調を表現するために発光させるサブフィールドの組み合わせを示す図
【図４（ｂ）】表示階調と、その階調を表現するために発光させるサブフィールドの組み合わせを示す図
【図４（ｃ）】表示階調と、その階調を表現するために発光させるサブフィールドの組み合わせを示す図
【図４（ｄ）】表示階調と、その階調を表現するために発光させるサブフィールドの組み合わせを示す図
【図５】本発明の実施の形態１におけるパネルの各電極に印加する駆動波形図
【図６】本発明の実施の形態１における１フィールドを構成するサブフィールドの構成図
【図７】本発明の実施の形態２におけるパネルの駆動方法を用いたプラズマディスプレイ装置の構成図
【図８】本発明の実施の形態２におけるパネルの駆動方法のサブフィールド構成を示す図
【符号の説明】
【００５１】
１    パネル
２    前面基板
３    背面基板
４    走査電極
５    維持電極
９    データ電極
【図１】
2005301013.tif 000004
【図２】
2005301013.tif 000005
【図３】
2005301013.tif 000006
【図４（ａ）】
2005301013.tif 000007
【図４（ｂ）】
2005301013.tif 000008
【図４（ｃ）】
2005301013.tif 000009
【図４（ｄ）】
2005301013.tif 000010
【図５】
2005301013.tif 000011
【図６】
2005301013.tif 000012
【図７】
2005301013.tif 000013
【図８】
2005301013.tif 000014